(57)【要約】【課題】ガス機器に対して適合するガス管を接続させることにより、安全に運転を実行可能に構成する。【解決手段】ガス機器１００に接続されるガス管５２の適合要件に関する情報であるガス管情報を供与可能な本体装着具５０を設けると共に、本体装着具５０を装着可能な本体装着具装着部５１をガス機器１００に備え、本体装着具５０は、本体装着具装着部５１に装着された状態で、ガス管情報をガス機器に供与可能に構成され、ガス機器１００に、本体装着具５０から供与されるガス管情報に基づいてガス管５２が当該ガス機器１００へ適合するか否かを判定する適合判定手段を備える。【選択図】図１
2012255589.tif 000002
【特許請求の範囲】
【請求項１】
一端に管継手を備えたガス管と、
前記ガス管が前記管継手を介して接続されるガス管接続部と、前記ガス管接続部から受け入れた燃料ガスを燃焼用空気と共に燃焼させる燃焼部とを有するガス機器とで構成され、ガス管とガス機器との間で適合要件が設定されているガス機器システムであって、
前記ガス機器に接続される前記ガス管の適合要件に関する情報であるガス管情報を供与可能な本体装着具を前記ガス機器とは別体に設けると共に、前記本体装着具を装着可能な本体装着具装着部を前記ガス機器に備え、
前記本体装着具は、前記本体装着具装着部に装着された状態で、前記ガス管情報を前記ガス機器に供与可能に構成され、
前記ガス機器に、前記本体装着具から供与される前記ガス管情報に基づいて前記ガス管が当該ガス機器へ適合するか否かを判定する適合判定手段を備えたガス機器システム。
【請求項２】
前記適合判定手段が前記ガス機器に前記ガス管が適合すると判定した場合に限り、前記ガス機器の運転を許可する運転許可手段を備えた請求項１に記載のガス機器システム。
【請求項３】
前記ガス機器に適合するガス管情報と、前記本体装着具から供与されたガス管情報との比較結果を出力する出力手段を備えた請求項１又は２に記載のガス機器システム。
【請求項４】
前記ガス管情報は、前記ガス管を通流可能なガス種であり、
前記適合判定手段は、前記ガス管を通流可能なガス種が前記ガス機器で使用可能なガス種か否かの適合要件を判定する請求項１乃至３の何れか一項に記載のガス機器システム。
【請求項５】
前記ガス管情報は、前記ガス管の製造年であり、
前記適合判定手段は、前記ガス管の製造年に基づいて前記ガス管の使用期間を判断し、前記使用期間が耐用年数未満であるか否かの適合要件を判定する請求項１乃至４の何れか一項に記載のガス機器システム。
【請求項６】
一端に管継手を備えたガス管が前記管継手を介して接続されるガス管接続部と、前記ガス管接続部から受け入れた燃料ガスを燃焼用空気と共に燃焼させる燃焼部とを有するガス機器で、前記ガス管との間で適合要件が設定されているガス機器であって、
接続される前記ガス管の適合要件に関する情報であるガス管情報を供与可能な本体装着具を装着可能な本体装着具装着部を備え、
前記本体装着具は、前記本体装着具装着部に装着された状態で、前記ガス管情報を供与可能に構成され、
前記本体装着具から供与される前記ガス管情報に基づいて前記ガス管が適合要件を満たすか否かを判定する適合判定手段を備えたガス機器。
【請求項７】
接続対象のガス機器との間で適合要件が設定されており、
ガス機器に設けられるガス管接続部に管継手を介して接続されるガス管であって、
前記適合要件に関する情報であるガス管情報を供与可能な本体装着具を備え、
前記本体装着具は、前記ガス機器に設けられる本体装着具装着部に装着された状態で、前記ガス管情報を前記ガス機器に供与可能に構成されているガス管。
【発明の詳細な説明】
【技術分野】
【０００１】
本発明は、一端に管継手を備えたガス管（小口径強化ガスホースという）と、前記ガス管が前記管継手を介して接続されるガス管接続部と、前記ガス管接続部から受け入れた燃料ガスを燃焼用空気と共に燃焼させる燃焼部とを有するガス機器とで構成され、ガス管とガス機器との間で適合要件が設定されているガス機器システムに関するとともに、このようなガス機器システムで使用するガス機器、更には、ガス管に関する。
【背景技術】
【０００２】
従来、ガス機器は、燃料ガスを供給するガス管が、ガス機器本体のガス管接続部に接続されている状態で、外部から運転操作を受け付けた場合に、燃料ガスが燃焼する運転状態に移行するように構成されている（特許文献１を参照）。
【先行技術文献】
【特許文献】
【０００３】
【特許文献１】特開２００６−８３９８９号公報
【発明の開示】
【発明が解決しようとする課題】
【０００４】
上述のガス機器には、ガス機器とガス管との間には適合要件が設定されており、ガス機器に適合するガス管と適合しないガス管とが存在する。一例を挙げると、ガス機器には、それを適切に働かせるガス種（例えば、都市ガスやＬＰガス）が決められており、当該ガス機器に接続されるガス管についても、その通流に適するガス種が決められている。
しかしながら、特許文献１に開示のガス機器にあっては、ガス機器とガス管とが適合するものか否かにつき、一切考慮されたものではなかった。このため、ガス機器に不適合なガス管が接続され、安全な運転が実行されない虞があった。
本発明は上述の課題に鑑みてなされたものであり、その目的は、ガス機器に対して適合するガス管を接続させることにより、安全に運転を実行可能な、ガス機器システム、ガス機器、及びガス管を提供することにある。
【課題を解決するための手段】
【０００５】
上記目的を達成するための本発明のガス機器システムは、
一端に管継手を備えたガス管と、
前記ガス管が前記管継手を介して接続されるガス管接続部と、前記ガス管接続部から受け入れた燃料ガスを燃焼用空気と共に燃焼させる燃焼部とを有するガス機器とで構成され、ガス管とガス機器との間で適合要件が設定されているガス機器システムであって、その特徴構成は、
前記ガス機器に接続される前記ガス管の適合要件に関する情報であるガス管情報を供与可能な本体装着具を前記ガス機器とは別体に設けると共に、前記本体装着具を装着可能な本体装着具装着部を前記ガス機器に備え、
前記本体装着具は、前記本体装着具装着部に装着された状態で、前記ガス管情報を前記ガス機器に供与可能に構成され、
前記ガス機器に、前記本体装着具から供与される前記ガス管情報に基づいて前記ガス管が当該ガス機器へ適合するか否かを判定する適合判定手段を備えた点にある。
【０００６】
上記特徴構成を有するガス機器システムは、ガス管、ガス機器と当該ガス機器とは別体の本体装着具とで成立する、そして、ガス機器に接続されるガス管の適合要件に関する情報であるガス管情報（例えば、通流可能なガス種、耐用年数等）が、本体装着具を装着した状態で、ガス機器に対し供与可能な構成を採用しており、ガス機器側では、当該ガス管情報に基づいて、ガス管がガス機器に適合するか否かを判定できるようになっている。
具体的には、ガス管情報を供与可能な本体装着具を設けると共に、本体装着具を装着可能な本体装着具装着部をガス機器に設け、本体装着具を、本体装着具装着部に装着された状態で、ガス管情報をガス機器側に供与可能に構成し、ガス機器に設けられた適合判定手段が、ガス管情報に基づいてガス管が当該ガス機器へ適合するか否かを判定するように構成している。
このようなガス機器システムにおいて、ガス機器の機器販売業者が本体装着具をガス管と共に使用者に配布することで、ガス機器が使用される際、使用者に、本体装着具を本体装着具装着部に装着させ、本体装着具の側からガス機器の側へガス管情報を供与させ、当該ガス管情報に基づいて、ガス管がガス機器へ適合するか否かを判定することができる。
【０００７】
本発明のガス機器システムの更なる特徴構成は、
前記適合判定手段が前記ガス機器に前記ガス管が適合すると判定した場合に限り、前記ガス機器の運転を許可する運転許可手段を備えた点にある。
【０００８】
上記特徴構成によれば、適合判定手段がガス機器にガス管が適合すると判定した場合に限り、運転許可手段がガス機器の運転を許可するので、十分に安全な状態で、ガス機器を運転させることができる。
【０００９】
本発明のガス機器システムの更なる特徴構成は、
前記ガス機器に適合するガス管情報と、前記本体装着具から供与されたガス管情報との比較結果を出力する出力手段を備えた点にある。
【００１０】
上記特徴構成によれば、出力手段は、ガス機器に適合するガス管情報と、本体装着具から供与されたガス管情報との比較結果を出力するので、使用者に当該比較結果に基づいて、ガス機器とガス管との適合状態を積極的に知らしめることができる。
また、ガス機器とガス管とが適合しないものである場合には、ガス管をガス機器に適合するものに交換することを促すことができる。
【００１１】
本発明のガス機器システムの更なる特徴構成は、
前記ガス管情報は、前記ガス管を通流可能なガス種であり、
前記適合判定手段は、前記ガス管を通流可能なガス種が前記ガス機器で使用可能なガス種か否かの適合要件を判定する点にある。
【００１２】
上記特徴構成によれば、適合判定手段が、ガス管を通流可能なガス種がガス機器で使用可能か否かの適合要件を判定するので、ガス機器で使用可能なガス種を通流できるガス管を、ガス機器に対し確実に接続させることができる。
【００１３】
本発明のガス機器システムの更なる特徴構成は、
前記ガス管情報は、前記ガス管の製造年であり、
前記適合判定手段は、前記ガス管の製造年に基づいて前記ガス管の使用期間を判断し、前記使用期間が耐用年数未満であるか否かの適合要件を判定する点にある。
【００１４】
上記特徴構成によれば適合判定手段は、ガス管の製造年に基づいてガス管の使用期間を判断し、使用期間が耐用年数未満であるか否かの適合要件を判定するので、ガス機器に対して耐用年数未満のガス管を接続させることができ、安全性を向上させることができる。
【００１５】
上記目的を達成するためのガス機器は、一端に管継手を備えたガス管が前記管継手を介して接続されるガス管接続部と、前記ガス管接続部から受け入れた燃料ガスを燃焼用空気と共に燃焼させる燃焼部とを有するガス機器で、前記ガス管との間で適合要件が設定されているガス機器であって、その特徴構成は、
接続される前記ガス管の適合要件に関する情報であるガス管情報を供与可能な本体装着具を装着可能な本体装着具装着部を備え、
前記本体装着具は、前記本体装着具装着部に装着された状態で、前記ガス管情報を供与可能に構成され、
前記本体装着具から供与される前記ガス管情報に基づいて前記ガス管が適合要件を満たすか否かを判定する適合判定手段を備えた点にある。
【００１６】
上記特徴構成を有するガス機器にあっては、上述のガス機器システムが奏する作用効果と同等のものを発揮することができる。
【００１７】
上記目的を達成するためのガス管は、
接続対象のガス機器との間で適合要件が設定されており、
ガス機器に設けられるガス管接続部に管継手を介して接続されるガス管であって、その特徴構成は、
前記適合要件に関する情報であるガス管情報を供与可能な本体装着具を備え、
前記本体装着具は、前記ガス機器に設けられる本体装着具装着部に装着された状態で、前記ガス管情報を前記ガス機器に供与可能に構成されている点にある。
【００１８】
上記特徴構成を有するガス管によれば、ガス管の適合要件に関する情報であるガス管情報をガス機器側に供与することができるので、ガス機器側にて当該ガス管情報に基づいてガス機器にガス管が適合するか否かを判定でき、当該ガス管を、その適合要件に適うガス機器に接続することができる。
【図面の簡単な説明】
【００１９】
【図１】本体装着具及び本体装着具装着部を示す図である。
【図２】ガス機器の概略構成図である。
【図３】運転操作受付部の概略構成図である。
【図４】制御装置により制御される制御対象の各機器を示すブロック図である。
【図５】本体装着具及び本体装着具装着部の装着状態と非装着状態を示す図である。
【図６】制御フロー図である。
【発明を実施するための形態】
【００２０】
図１〜図６に示すように、本発明のガス機器システム２００は、ガス機器１００にガス管５２が適合するか否かを判定できる点を重要な特徴としており、ガス機器１００に接続されるガス管５２の適合要件に関する情報であるガス管情報（例えば、ガス管５２を通流可能なガス種、ガス管５２の耐用年数等）がガス機器１００に対して供与可能な構成を採用しており、ガス機器１００側は、当該ガス管情報に基づいて、ガス管５２がガス機器１００に適合するか否かを判定できるように構成されている。
具体的には、本発明のガス機器システム２００は、その特徴構成として、ガス機器１００とは別体に、ガス管情報を供与可能なコネクタ５０（ガス装着具の一例）を有して構成され、当該コネクタ５０を装着可能なコネクタ装着部５１（本体装着具装着部の一例）をガス機器１００に備えている。
以下では、まず、ガス機器システム２００の基本的な構成について説明した後、本発明の特徴構成、及びガス機器１００へのガス管５２の適合判定処理について説明する。
【００２１】
本発明のガス機器システム２００は、図１、図２（ａ）（ｂ）に示すように、一端に管継手５６を備えたガス管５２を備えるとともに、ガス管５２が管継手５６を介して接続されるガス管接続部５３とガス管接続部５３から受け入れた燃料ガスＧを燃焼用空気Ａと共に燃焼させるバーナ２（燃焼部の一例）とを有するガス機器１００とで構成されており、ガス管５２とガス機器１００との間で適合要件が設定されている。
当該適合要件は、ガス機器１００に対してガス管５２が接続された場合に、安全な状態で運転するための要件であり、例えば、ガス機器１００及びガス管５２にて使用可能なガス種に係る要件や、ガス管５２の耐用年数に係る要件である。
【００２２】
上記バーナ２は、図２（ａ）（ｂ）に示す様に、燃料ガスＧを導く燃料ガス流路７が連通接続されており、当該燃料ガス流路７から供給される燃料ガスＧと、本体１の背面に設けられた吸込口１７から吸込まれる燃焼用空気Ａとに、点火プラグ１３にて点火し火炎を形成する。
上記燃料ガス流路７には、燃料ガスＧの通流を止める、又は許容する第１電磁弁８ａ及び第２電磁弁８ｂと、燃料ガスＧの流量を調整可能な比例弁１０と、燃料ガスＧを燃焼用空気Ａと混合しながらバーナ２に向けて噴射する噴射ノズル１１とが、上流側から下流側に向けて順に設けられている。尚、上述の如く、電磁弁として、２つの第１電磁弁８ａと第２電磁弁８ｂとが設けられている理由は、燃料ガスＧが燃料ガス流路７の下流側に漏出することを、より確実に防止するためである。
【００２３】
対流用ファン３は、クロスフローファン１５と、当該クロスフローファン１５を周方向に回転させるモータ１６とから構成されている。モータ１６が、クロスフローファン１５を回転させることにより、吸込口１７から外気が取り入れられ、その一部は、燃焼用空気Ａとしてバーナ２の燃焼室１８へ導かれ、他部は、バーナ２に形成された火炎により加熱される。そして、燃焼後の燃焼排ガスが温風として、吹出口１９より外部へ吹き出される。
【００２４】
〔温度センサ関係〕
本体１の外面には、室内温度を測定する室内温度センサ２２が設けられている。後述する制御装置４は、当該室内温度センサ２２の測定結果に基づいて、バーナ２及び対流用ファン３の運転状態を制御する。
本体１の内部には、本体１の内部の温度を測定する本体内用温度センサ２３が設けられており、制御装置４は、例えば、当該本体内用温度センサ２３の測定温度が、異常高温域に達している場合、バーナ２を停止する等の制御を行う。
さらに、本体１の制御装置４等を構成する回路には、本体１の内部の温度が所定以上となった場合に、当該回路を断線する温度ヒューズ２４が設けられている。これにより、本体１の内部の温度が、回路の耐熱温度を超える場合、当該回路を断線して、回路を保護することができる。
【００２５】
〔運転操作受付部〕
図２（ａ）に示すように、本体１の天面には、外部から運転操作を受け付ける運転操作受付部９が設けられている。
当該運転操作受付部９には、図３に示すように、使用者等により操作させるスイッチとして、所定の時間経過した後に運転停止の設定が可能なおやすみタイマースイッチ２６、所定の時間経過した後に運転開始の設定が可能なおはようタイマースイッチ２７、目標温度や目標運転時間等を設定する温度／時間設定スイッチ３１、運転状態と運転停止状態とを切り替える運転スイッチ３２等が設けられている。
一方、使用者等に機器の状態を知らせる表示部分として、おやすみタイマー及びおはようタイマーが設定されていることを示す設定表示ランプ２８、温度や時間やエラー状態等を示す７セグ表示パネル２９、各運転状態を示す運転表示ランプ３３、燃焼用空気Ａの吸込口１７に設けられているエアフィルタ２０に塵埃等が溜まった場合に点灯するエアフィルタお掃除ランプ３５、ガス管接続部５３へのガス管５２の接続異常がある場合に点灯するガス管接続異常ランプ３６、ガス機器１００の使用可能ガス種とガス管５２に通流可能ガス種とが異なる場合に点灯するガス種異常ランプ３７（出力手段の一例）、ガス管５２の耐用年数が超過している場合に点灯するガス管交換ランプ３８（出力手段の一例）、温度異常等が発生した場合に点灯する緊急警報ランプ３９等が設けられている。
尚、上記各種スイッチを操作した場合の制御装置４による各表示部等への点灯・点滅等の制御は、通常のガス機器１００と略同一であるので、ここでは、その詳細な説明を割愛する。
【００２６】
〔本体装着具及び本体装着具装着部〕
次に、本発明の特徴的な構成であるコネクタ５０（本体装着具の一例）とコネクタ装着部５１（本体装着具装着部の一例）について説明する。
コネクタ５０は、図１に示すように、連結部材５５によりガス管５２と取り外しできない状態で連結されている。コネクタ５０は、ガス機器１００の本体１の背面に設けられたコネクタ装着部５１に装着可能に構成されている。
コネクタ５０は、図５に示すように、ガス機器１００に接続されるガス管５２の適合要件に関する情報であるガス管情報として、ガス管５２を通流するガス種に係る情報を保持するために、その内部にガス種に対応する抵抗を有する第１導電部５０ａを有している。
当該第１導電部５０ａの抵抗は、例えば、都市ガスに対応するものとしてはＸΩ、ＬＰガスに対応するものとしてはＹΩというように、ガス種毎に異なる値に設定されている。
【００２７】
また、図示は省略するが、コネクタ５０は、ガス機器１００に接続されるガス管５２の適合要件に関する情報であるガス管情報として、ガス管５２の製造年に係る情報を保持すべく、その内部に製造年に対応する抵抗を有する第２導電部５０ｂを有している。
当該第２導電部５０ｂの抵抗は、例えば、２０００年に対応するものとしてはＡΩ、２００１年に対応するものとしてＢΩというように、製造年毎に異なる値に設定されている。
【００２８】
コネクタ装着部５１は、図５に示すように、コネクタ５０がコネクタ装着部５１に装着されている状態（図５（ｂ）に示す状態）において、コネクタ５０の第１導電部５０ａを介して導通状態となる第１接点端子５１ａ、及び第２導電部５０ｂを介して導通状態となる第２接点端子５１ｂが設けられている。そして、当該第１接点端子５１ａ及び第２接点端子５１ｂは、制御装置４と電気的に接続されており、制御装置４は、適合判定手段ｍ１として以下のように働く。
【００２９】
〔制御装置：全体制御に係る構成〕
制御装置４は、図４に示すように、上記運転操作受付部９の各操作スイッチ及び各表示部と電気的に接続されており、各操作スイッチの操作に基づいて、各表示部に操作状態を表示すると共に、ガス機器１００の運転を制御するように構成されている。制御装置４による当該ガス機器１００の運転制御については、従来のものと変わるところがない。
【００３０】
〔制御装置：ガス種による適合判定に係る構成〕
制御装置４は、第１接点端子５１ａ間の第１導電部５０ａの抵抗値を取得し、当該抵抗値に基づいてガス管５２に通流可能なガス種を取得すると共に、当該ガス種がガス機器１００にて使用可能なガス種か否かを判定する適合判定手段ｍ１として働く。
説明を加えると、制御装置４には、第１導電部５０ａの抵抗値に対応するガス管５２を通流可能なガス種を記憶すると共に、ガス機器１００に使用可能なガス種を記憶する記憶部ｍ３が設けられている。
適合判定手段ｍ１は、第１導電部５０ａの抵抗値を取得し、取得した抵抗値に対応するガス管５２を通流可能なガス種を記憶部ｍ３から読み出すと共に、ガス機器１００に使用可能なガス種も読み出し可能に構成されている。適合判定手段ｍ１は、ガス管５２を通流可能なガス種とガス機器１００に使用可能なガス種とが同一である場合、ガス機器１００にガス管５２が適合すると判定し、ガス種が異なる場合、ガス機器１００にガス管５２が適合しないと判定する。
【００３１】
〔制御装置：ガス管の製造年による適合判定に係る構成〕
制御装置４は、第２接点端子５１ｂ間の第２導電部５０ｂの抵抗値を取得し、当該抵抗値に基づいてガス管５２の製造年を取得し、当該製造年からガス管５２が耐用年数未満か否かを判定する適合判定手段ｍ１としても働くように構成されている。
制御装置４には、第２導電部５０ｂの抵抗値に対応する製造年を記憶している記憶部ｍ３が設けられると共に、現在の年を提供可能なカレンダー部ｍ４が設けられている。
適合判定手段ｍ１は、第２導電部５０ｂの抵抗値を取得し、取得した抵抗値に対応するガス管５２の製造年を記憶部ｍ３から読み出すと共に、カレンダー部ｍ４から現在の年を取得し可能に構成されている。適合判定手段ｍ１は、ガス管５２の製造年と現在の年から算出されるガス管５２の使用期間が、ガス管５２の耐用年数を超えている場合、ガス機器１００にガス管５２が適合すると判定し、耐用年数が超えていない場合、ガス機器１００にガス管５２が適合しないと判定する。
【００３２】
〔制御装置：運転許可に係る構成〕
制御装置４は、上述した適合判定において、適合判定手段ｍ１がガス機器１００にガス管５２が適合しないと判定した場合に限り、ガス機器１００の運転を許可する運転許可手段ｍ２として働くように構成されている。
これにより、ガス機器１００にガス管５２が適合しない場合、即ち、ガス機器１００の使用可能ガス種とガス管５２の通流可能ガス種が異なる場合や、ガス管５２の使用期間が耐用年数を超えている場合に、ガス機器１００が運転することを禁止するので、ガス機器１００の使用の安全性を確保できる。
【００３３】
〔制御装置：ガス管接続の判定に係る構成〕
コネクタ装着部５１の第１接点端子５１ａ及び第２接点端子５１ｂ間の抵抗は、コネクタ５０がコネクタ装着部５１に装着されている場合（図５（ｂ）に示す場合）、コネクタ５０の第１導電部５０ａ及び第２導電部５０ｂの抵抗値になり、コネクタ５０がコネクタ装着部５１に装着されていない場合（図５（ａ）に示す場合）、無限大となる。即ち、制御装置４は、第１接点端子５１ａ及び第２接点端子５１ｂ間の抵抗を監視することで、コネクタ５０がコネクタ装着部５１に装着されているか否かも判定することができる。
本発明にあっては、制御装置４は、ガス管５２に取り外しできないように連結されているコネクタ５０が、コネクタ装着部５１に装着されていることにより、ガス管接続部５３にガス用ゴム管等が無理に差し込まれて使用されている状態ではなく、ガス管接続部５３に適正なガス管５２が接続されていると判定するように構成されている。
【００３４】
〔適合判定処理〕
次に、本発明の適合判定処理を、図６の制御フローに基づいて説明する。
運転操作受付部９に運転操作を受け付ける（♯１０１）と、制御装置４は、コネクタ装着部５１にコネクタ５０が装着されているか否かにより、ガス管５２がガス管接続部５３に対して正常に接続されているか否かを判定する（♯１０２）。
【００３５】
制御装置４は、コネクタ装着部５１に適正にコネクタ５０が装着されている場合、ガス管接続部５３に適正にガス管５２が接続されていると判定し（ガス管接続判定異常なし）、次の処理へ移行する。
一方、制御装置４は、コネクタ装着部５１にコネクタ５０が装着されていない場合、ガス管接続部５３に適正にガス管５２が接続されていないと判定し（ガス管接続判定異常あり）、ガス管接続異常ランプ３６を点灯させる（♯１０３）。この場合、ガス機器１００の運転は許容しない。
【００３６】
制御装置４（適合判定手段ｍ１の一例）は、ガス管５２を通流可能なガス種とガス機器１００にて使用可能なガス種とが、同一か否かを判定する（♯１０４）。
制御装置４は、ガス機器１００にて使用可能なガス種とガス管５２を通流可能なガス種とが同一である場合、適用されるガス種の観点において、ガス機器１００とガス管５２とが適合すると判定し（ガス種判定異常なし）、次の処理へ移行する。
一方、制御装置４は、ガス機器１００にて使用可能なガス種とガス管５２を通流可能なガス種とが異なる場合、適用されるガス種の観点において、ガス機器１００とガス管５２とが適合しないと判定し（ガス種判定異常あり）、ガス種異常ランプ３７を点灯させる（♯１０５）。この場合、ガス機器１００の運転は許容しない。
【００３７】
制御装置４（適合判定手段ｍ１の一例）は、ガス管５２の使用期間が耐用年数未満であるか否かを判定する（♯１０６）。
制御装置４は、ガス管５２の使用期間が耐用年数を超える場合、ガス管５２の耐用年数の観点において、ガス機器１００にガス管５２を適合できないと判定し（耐用年数判定異常あり）、ガス管交換ランプ３８を点灯させる（♯１０７）。この場合、ガス機器１００の運転は許容しない。
【００３８】
制御装置４（運転許可手段ｍ１の一例）は、ガス管５２の使用期間が耐用年数未満である場合、ガス管５２の耐用年数の観点において、ガス機器１００にガス管５２を適合させられると判定し（耐用年数判定異常なし）、運転表示ランプ３３を点灯させると共に、ガス機器１００を通常運転させるべく、対流用ファン３を回転させると共に、第１電磁弁８ａ、第２電磁弁８ｂ、及び比例弁１０を開状態としてバーナ２に燃料ガスＧを供給する（♯１０８）。
【００３９】
〔ガス機器〕
これまで説明してきたように、本願は、上述の構成を有するガス機器システム２００で採用するガス機器１００を、以下の如く構成することで、本願の機能を良好に発揮する。
即ち、ガス管５２との間で適合要件が設定されているガス機器１００を、一端に管継手５６を供えたガス管５２が管継手５６を介して接続されるガス管接続部５３と、ガス管接続部５３から受け入れた燃料ガスＧを燃焼用空気Ａと共に燃焼させるバーナ２とを有し、接続されるガス管５２の適合要件に関する情報であるガス管情報を供与可能な本体装着具を装着可能な本体装着具装着部を備え、本体装着具は、本体装着具装着部に装着された状態で、ガス管情報を供与可能に構成され、本体装着具から供与されるガス管情報に基づいてガス管５２が適合要件を満たすか否かを判定する適合判定手段ｍ１を備えて、構成する。
【００４０】
〔ガス管〕
ガス管５２についても、以下の如く構成することで、本願の機能を良好に発揮する。
即ち、接続対象のガス機器１００との間で適合要件が設定されているガス管５２を、ガス機器１００に設けられるガス管接続部５３に管継手５６を介して接続されるように構成し、適合要件に関する情報であるガス管情報を供与可能な本体装着具を備え、本体装着具は、ガス機器１００に設けられる本体装着具装着部に装着された状態で、ガス管情報をガス機器１００に供与可能に構成する。
【００４１】
〔別実施形態〕
（１）
ガス管５２の製造年（耐用年数）に係る情報を、コネクタ５０の色により表すように構成してもよい。これにより、使用者は、ガス管５２の製造年に係る情報を、視覚的に把握することができ、使用者は、耐用年数の切れたガス管５２であるか否かを、効果的に知ることができる。
また、コネクタ５０のみに色付けすることで、ガス機器１００の全体としての美観が損なわれることもない。
【００４２】
（２）
上記実施形態にあっては、コネクタ５０側からガス機器１００側へガス管情報を供与する構成として、コネクタ５０に所定の抵抗値を有する第１導電部５０ａ、第２導電部５０ｂを設け、ガス機器１００の制御装置４が、当該抵抗値に基づいてガス管情報を取得するものとした。
しかしながら、ガス管情報を供与する方法としては、コネクタ５０にコンデンサ等の電気素子を設け、ガス機器１００の制御装置４が、当該コンデンサの静電容量を測定できるように構成しても構わない。
【産業上の利用可能性】
【００４３】
本発明のガス機器システム、ガス機器、及びガス管は、ガス機器に対して適合するガス管を接続させることにより、安全に運転を実行可能なものとして、有効に利用可能である。
【符号の説明】
【００４４】
２        ：バーナ
４        ：制御装置
３６      ：ガス管接続異常ランプ
３７      ：ガス種異常ランプ（出力手段の一例）
３８      ：ガス管交換ランプ（出力手段の一例）
３９      ：緊急警報ランプ
５０      ：コネクタ
５０ａ    ：第１導電部
５０ｂ    ：第２導電部
５１      ：コネクタ装着部
５１ａ    ：第１接点端子
５１ｂ    ：第２接点端子
５２      ：ガス管
５３      ：ガス管接続部
５５      ：連結部材
５６      ：管継手
１００    ：ガス機器
２００    ：ガス機器システム
Ａ        ：燃焼用空気
Ｇ        ：燃料ガス
ｍ１      ：適合判定手段
ｍ２      ；運転許可手段
【図１】
2012255589.tif 000003
【図２】
2012255589.tif 000004
【図３】
2012255589.tif 000005
【図４】
2012255589.tif 000006
【図５】
2012255589.tif 000007
【図６】
2012255589.tif 000008